(57)【要約】【課題】  低コストの木工沈床を得る。また容易に施工可能な木工沈床を得る。【解決手段】  木材にて積層構造の井桁を構築することで、内部に石材２３を充填可能な木製のかご部１０を構成する。かご部１０の底部１１を樹脂製のネット１７にて構成する。また、かご部１０を構成する積層構造の井桁を複数対の縦桁１３と複数対の横桁１４とによって構築し、上下に複数の縦桁１３どうしと上下に複数の横桁１４どうしとのいずれか一方を上下方向の複数の支柱２１により連結して平行リンクを構成する。支柱２１を揺動させることによって、かご部１０を、伏せた状態と立ち上げて井桁状に構成した状態とに切り替え可能である。【選択図】        図６
2007032173.tif 000002
【特許請求の範囲】
【請求項１】
木材にて積層構造の井桁を構築することで、内部に石材を充填可能な木製のかご部を構成し、前記かご部の底部を樹脂製のネットにて構成したことを特徴とする木工沈床。
【請求項２】
ネットの端縁部をカスガイの打ち込みによってかご部の木材に固定したことを特徴とする請求項１記載の木工沈床。
【請求項３】
最下層の桁を構成する二本の木材に、矩形状のネットの相対向する二辺部を固定したことを特徴とする請求項１または２記載の木工沈床。
【請求項４】
ネットは、芯部に高粘度ポリエステルが配されるとともに、鞘部に共重合ポリエステルが配された芯鞘構造の繊維にて構成されていることを特徴とする請求項１から３までのいずれか１項記載の木工沈床。
【請求項５】
かご部を構成する積層構造の井桁を、端部で互いに交差する複数対の縦桁と複数対の横桁とによって構築し、上下に複数の縦桁どうしと上下に複数の横桁どうしとのいずれか一方を上下方向の複数の支柱により連結して平行リンクを構成することで、支柱を揺動させることによって、かご部を伏せた状態と立ち上げて井桁状に構成した状態とに切り替え可能としたことを特徴とする請求項１から４までのいずれか１項記載の木工沈床。
【請求項６】
積層構造の井桁とこの井桁の底部とを木材にて構築することで、内部に石材を充填可能な木製のかご部を構成し、このかご部を構成する積層構造の井桁を複数対の縦桁と複数対の横桁とによって構築し、上下に複数の縦桁どうしと上下に複数の横桁どうしとのいずれか一方を上下方向の複数の支柱により連結して平行リンクを構成することで、支柱を揺動させることによって、かご部を伏せた状態と立ち上げて井桁状に構成した状態とに切り替え可能としたことを特徴とする木工沈床。
【請求項７】
請求項１から６までのいずれか１項に記載の木工沈床を川床に施工するための方法であって、陸部にてかご部を組み立て、このかご部の中に石材を充填し、その後に前記石材を充填したかご部を吊り下げ搬送して川床に設置することを特徴とする木工沈床の施工方法。
【発明の詳細な説明】
【技術分野】
【０００１】
本発明は、河川の護岸や洗掘防止のために用いられる木工沈床に関する。
【背景技術】
【０００２】
木工沈床は、木材によって川底に井桁状の枠を形成し、その中に石材を詰めるようにしたものである（特許文献１）。この木工沈床を施工する際には、河川における施工場所に仮締切を行って水の入らない空間を形成し、その空間内で木材を井桁状に組み立てたうえで石材の充填を行っている。枠の底部は、この枠を箱形に保持するための基礎をなすもので、木材を利用した「すのこ」状の底部パネルにて構成されている。
【特許文献１】特開平１０−３１７３５０号公報
【発明の開示】
【発明が解決しようとする課題】
【０００３】
しかし、底部パネルは、上記のように木工沈床の枠部の基礎となるために、それに応じた頑丈さが必要であり、そのために多量の木材を用いて厚く構成されている。このため、枠部の製造コストを引き上げる要因になっている。また、底部パネルの厚さ分は石材を充填することができず、したがって必要量の石材を充填するためには枠部を高く構成することが必要になって、これもコストアップの要因になっている。
【０００４】
しかも、その施工に際しては、上述のように河川における施工場所に仮締切を行ったうえで現地で組み立て工事を行わなければならず、作業性が悪い。
そこで本発明は、低コストの木工沈床を得ることができるようにすることを目的とする。
【０００５】
また本発明は、容易に施工可能な木工沈床を得ることができるようにすることを目的とする。
【課題を解決するための手段】
【０００６】
上記目的を達成するため本発明は、次の構成を要旨とするものである。
（１）木材にて積層構造の井桁を構築することで、内部に石材を充填可能な木製のかご部を構成し、前記かご部の底部を樹脂製のネットにて構成したことを特徴とする木工沈床。
【０００７】
（２）ネットの端縁部をカスガイの打ち込みによってかご部の木材に固定したことを特徴とする（１）の木工沈床。
【０００８】
（３）最下層の桁を構成する二本の木材に、矩形状のネットの相対向する二辺部を固定したことを特徴とする（１）または（２）の木工沈床。
【０００９】
（４）ネットは、芯部に高粘度ポリエステルが配されるとともに、鞘部に共重合ポリエステルが配された芯鞘構造の繊維にて構成されていることを特徴とする（１）から（３）までのいずれかの木工沈床。
【００１０】
（５）かご部を構成する積層構造の井桁を、端部で互いに交差する複数対の縦桁と複数対の横桁とによって構築し、上下に複数の縦桁どうしと上下に複数の横桁どうしとのいずれか一方を上下方向の複数の支柱により連結して平行リンクを構成することで、支柱を揺動させることによって、かご部を伏せた状態と立ち上げて井桁状に構成した状態とに切り替え可能としたことを特徴とする（１）から（４）までのいずれかの木工沈床。
【００１１】
（６）積層構造の井桁とこの井桁の底部とを木材にて構築することで、内部に石材を充填可能な木製のかご部を構成し、このかご部を構成する積層構造の井桁を複数対の縦桁と複数対の横桁とによって構築し、上下に複数の縦桁どうしと上下に複数の横桁どうしとのいずれか一方を上下方向の複数の支柱により連結して平行リンクを構成することで、支柱を揺動させることによって、かご部を伏せた状態と立ち上げて井桁状に構成した状態とに切り替え可能としたことを特徴とする木工沈床。
【００１２】
（１）から（６）までのいずれかの木工沈床を川床に施工するための方法であって、陸部にてかご部を組み立て、このかご部の中に石材を充填し、その後に前記石材を充填したかご部を吊り下げ搬送して川床に設置することを特徴とする。
【発明の効果】
【００１３】
本発明によると、木材にて積層構造の井桁を構築することで、内部に石材を充填可能な木製のかご部を構成し、このかご部の底部を樹脂製のネットにて構成したため、かご部の底部を木材によって構成する場合に比べ、石材を支持するための同等の頑丈さを得るためにたとえばネット１枚を張るだけで済み、このためコストダウンを図ることができる。また、底部を木材によって構成する場合に比べてかご部の底部を薄く構成することができ、このためかご部を低く構成することができ、したがってこの点からもコストダウンを図ることができるとともに、かご部を小形に構成することもできる。
【００１４】
本発明によると、陸部にてかご部を組み立て、このかご部の中に石材を充填し、その後に前記石材を充填したかご部を吊り下げ搬送して川床に設置するため、川の中で組み立て作業を行う必要が無く、このため容易に施工することができる。
【発明を実施するための最良の形態】
【００１５】
図１〜図４は、本発明の木工沈床の実施の形態におけるかご部１０の構成を示す。このかご部１０は、底部１１と側枠部１２とを有し、側枠部１２は、丸太などの木材を用いて積層構造の井桁状に構成されている。１３は井桁を構成する縦桁、１４はその横桁で、一対の縦桁１３と一対の横桁１４とが端部で互いに交差するように交互に積み重ねられて、底部１１とともに一体化された構成となっている。なお、ここでいう縦桁および横桁は説明の都合上任意に名付けたもので、いずれが縦であっても横であっても差し支えない。
【００１６】
図５に詳細に示すように、底部１１は、横断面矩形状の一対の底部横桁１５と、これら底部横桁１５どうしの間にわたされる一対の縦桟１６とによって構成され、縦桟１６が底部横桁１５の端部から桁の長さ方向に距離をおいた位置どうしの間に設けられることで、平面視で梯子形に形成されている。また底部１１には樹脂ネット１７が張られている。この樹脂ネット１７は矩形状に形成されて、底部１１のさらに底の位置に配置されるとともに、前記矩形の二辺の端縁部１８が上向きに折り返されて、それぞれ底部横桁１５の側面に沿わされた状態でこの底部横桁１５に固定されている。樹脂ネット１７における他の二辺の端縁部１９は、いずれにも固定されないフリーな状態で張られている。
【００１７】
樹脂ネット１７は、樹脂製の繊維によって網目状に構成されたもので、かご部１０に充填される石材の重さを受け止めることができる強度を有していることが必要である。そのためには、たとえば、上記の繊維が複数の単繊維を撚り合わせたものであって、各単繊維は、芯部に高粘度ポリエステルが配されるとともに鞘部に共重合ポリエステルが配された芯鞘構造の繊維にて構成されていることが好適である。このような所要強度を有する繊維として、たとえばユニチカファイバー社製の「メルセット」などを用いることが好適である。樹脂ネット１７におけるフリーな状態で張られる端縁部１９は、樹脂製のネット材を所定サイズに切断した切断縁を用いるのではなく、ネット材の製造時に形成される端縁の耳部を用いることが好ましい。そうすることで、石材を充填したときのネット強度を十分に保つことができる。
【００１８】
樹脂ネット１７の端縁部１８と底部横桁１５の側面との固定方法は、所要強度を得るための適宜の方法を採用することができる。たとえば、図示のように建築用のカスガイ２０を用いて打込み固定することができる。カスガイ２０の打込みピッチは、その打込み部において充填石材の重量を支えることが可能であるように、適宜に設定することができる。図４に示すように、カスガイ２０を縦桟１６にも打込んで、樹脂ネット１７をこの縦桟１６にも固定することで、樹脂ネット１７を底部１１に確実に固定することができる。
【００１９】
図１〜図３に示すように、井桁状のかご部１０の四隅には、たとえば横断面を矩形に形成された上下方向の支柱２１が設けられている。この支柱２１は、たとえば下端部が底部横材１５に接するとともに上側部が横材１４に接した状態で配置されて、これら底部横材１５と横桁１４との両者にボルトなどにより固定されることで、底部１１と側枠部１２との一体化に寄与している。縦桁１３は、ボルトなどによってたとえば横桁１４に固定されることで一体化され、側枠部１２を構成する。各支柱２１の上端には、吊り上げ用のシャックル２２が設けられている。なお、場合によっては、このようなシャックル２２を設けずに、かご部１０を構成する縦桁１３や横桁１４に布ロープなどを掛けて吊り上げを行うことも可能である。
【００２０】
このような構成のかご部１０を用いて木工沈床を施工する方法について説明する。かご部１０は、木工沈床を設置する川床の近傍における陸部において組み立ててもよいし、あらかじめ製造工場において組み立てておいたものを上記の陸部まで搬送してもよい。あるいは、後述のように、かご部１０の側枠部１２を、伏せた状態あるいは畳んだ状態と、立ち上げた状態とに切り替え可能に構成しておき、伏せた状態あるいは畳んだ状態すなわち体積の小さい状態で製造工場や保管倉庫などから効率よく上記の陸部まで搬送し、陸部で立ち上げた状態として使用することもできる。
【００２１】
図１および図３は、このようにして組み立てられたかご部１０を示す。次に、図２に示すように、このかご部１０の内部に玉石などの石材２３を充填する。充填が完了したなら、図２および図６に示すように、支柱２１の上端のシャックル２２を利用し、ワイヤロープ２４を用いて、かご部１０すなわち木工沈床をクレーン車などによって陸部から吊り上げ、設置すべき川床へ向かって搬送し、吊り降ろすことで、設置を完了する。
【００２２】
吊り上げを行うと、図６に示すように樹脂ネット１７における底部横桁１５に添わされていない自由端側の端縁部１９は、石材２３の重みを受けてたわむ。しかし、重みによって破断することはなく、また固定端側の端縁部１８はカスガイ２０によってしっかりと底部横桁１５に固定されているため、石材２３を充填した状態で吊り下げて搬送することによって、上述のように所定の位置に設置することができる。樹脂ネット１７における自由端側の端縁部１９と一番下の縦桁１３との間には隙間が存在し、この隙間は図６に示すように石材２３の重みで樹脂ネット１７の端縁部１９がたわむことにより拡大するが、隙間よりも大きな石材はかご部１０によって受け止められ、また隙間よりも小さな石材は樹脂ネットがこの石材を包み込むように弾性変形するため、石材２３の落下は防止される。
【００２３】
上記したように底部１１に樹脂ネット１７を用いたため、図５に示すように底部１１に底部横桁１５や縦桟１６の厚み分の空間２９を形成することができ、この空間にも石材２３を充填することができる。また従来のように底部を木製のすのこ構造としたものでは、このすのこの部分には石材を充填できないうえに、このすのこの形成に上下２段の木材を敷き並べる必要があるが、樹脂ネット１７を用いる場合は上記の底部横桁１５および縦桟１６という１段だけの構成とすることができる。よって、従来のすのこ構造のものに比べて、充填効率を高めることができる。底部横桁１５は横桁１４や縦桁１３と同程度の断面寸法とすることが適当であるため、空間２９に石材２３を充填できることで、かご部１０の最上部を構成する横桁１４あるいは縦桁１３を一層省略しても、従来と同程度に石材２３を充填することができる。
【００２４】
上記のように支柱２１を用いて箱形のかご部１０の一体化を行っているため、図７に示すように箱形すなわち直方体形状を構成する側枠部１２の一辺における縦桁１３あるいは横桁１４を取り除いてかご部１０Ａを構成しても、そのかご部１０Ａの一体化状態を維持することができる。この図７の例では、上述のように横桁１４を支柱２１に固定しかつ縦桁１３を横桁１４に固定したものにおいて、側枠部１２の一辺を構成する縦桁１３を取り除いて開口部２５を形成したものである。それに代えて木製の縦方向の支持部材２６が設けられており、この支持部材２６は、一対の支柱２１どうしの間にわたされて、これら支柱２１どうしを連結固定している。
【００２５】
この場合は、側枠部１２の一辺分の縦桁１３のための木材の使用を省略することができ、その分のコストダウンを図ることができる。石材２３をかご部１０に充填する際のこぼれ落ちを防止するために、開口部２５は、木材や鋼材などによって形成された薄板２８（図１３参照）によって塞いでおくことが好適である。底部横桁１５の端部と、一番上の横桁１４の端部とには、このような薄板２８を取り付けて固定するための固定金具２７が設けられている。
【００２６】
四辺のすべてに側枠部１２を設けたかご部１０と、一辺に開口部２５を形成したかご部１０Ａとを組み合わせて用いることにより、これらのかご部１０、１０Ａを効率よく連続的に並べて敷設することができる。たとえば、四辺のすべてに側枠部１２を設けたかご部１０どうしを並べて敷設すると、両方のかご部１０の側枠部１２どうしが重なった状態で敷設されることになる。これに対し、図８および図９に示すように二種類のかご部１０、１０Ａを工夫して敷設することで、側枠部１２どうしが重ならないようにすることができ、木材の無駄な使用を省いて効果的に、かつ低コストで、木工沈床を敷設することができる。図８は一連構造のものを示し、この場合は側枠部１２どうしの重なりを完全に排除することができる。図示のように、隣り合うかご部１０、１０Ａどうしを金属製の補強プレート３５で接合しておくと、強度上好都合である。図９は二連構造のものを示す。ここでは、一部に側枠部１２どうしの重なりが残っているが、すべてのかご部を四辺に側枠部１２を有するものとした場合に比べて、木材の使用量を大幅に低減することができる。
【００２７】
図１０は、かご部１０の側枠部１２を、伏せた状態すなわち畳んだ状態と（以下においては単に「伏せた状態」とのみ記載する）、立ち上げて井桁状に構成した状態とに切り替え可能としたものを示す。この図１０のかご部１０は、３本の横桁１４ａ、１４ｂ、１４ｃ（１４）と、４本の縦桁１３ａ、１３ｂ、１３ｃ、１３ｄ（１３）とを用いた、４層建ての構成となっている。支柱２１は、その下端部において、縦方向のボルト３０によって底部横桁１５にルーズに連結されている。また支柱２１は、同様に縦方向のボルト３１によって各横桁１４にルーズに連結されている。これによって、底部横桁１５および複数の横桁１４と、一対の支柱２１とによって、平行リンク機構が構成されることになる。よって、底部横桁１５を固定リンクとして、一対の支柱２１を揺動させれば、他の横桁１４は、横方向の姿勢を保った状態で昇降することができる。これによって、図１０において実線で示すように支柱２１が倒れて上下に隣り合う横桁１４、１５どうしが互いに接触したところの伏せた状態と、同図において仮想線で示すように支柱２１が立ち上がって隣り合う横桁１４、１５どうしが互いに上下方向に距離をおいたところの立ち上がった状態とを、切り替えることができる。
【００２８】
底部横桁１５を除く他の横桁１４において、ボルト３１を通すための孔は横桁１４の長さ方向に沿った長孔３２によって構成されている。その理由は後述するが、この長孔３２には、上述の伏せた状態と、立ち上がった状態と、これらの状態を切り替える時とにおいて、ボルト３１と横桁１４との位置関係が変化しないように、木片を用いた楔材３３が打込まれている。
【００２９】
図１０において実線で示すように、側枠部１２が伏せた状態であるときには、横桁１４の一端部は底部１１よりも側方に突出し、その他端部は底部１１の上方の位置に入り込む。底部１１よりも側方に突出した横桁１４の一端部において、一番上の横桁１４ａには、一番上の縦桁１３ａと次の縦桁１３ｂとが、ボルト３４によって固定されている。同様に次の横桁１４ｂには次の縦桁１３ｃがボルト３４によって固定されており、一番下の横桁１４ｃには一番下の縦桁１３ｄがボルト３４によって固定されている。また底部１１の上方の位置に入り込んだ横桁１４の他端部は、次のような構成となっている。すなわち、一番上の横桁１４ａには、一番上の縦桁１３ａがボルト３４によって固定されている。二番目の縦桁１３ｂと三番目の縦桁１３ｃとは、ボルト３４によって支柱に固定されている。また一番下の縦桁１３ｄは、ボルト３４によって底部横桁１５に固定されている。
【００３０】
よって、図１０において実線で示すように支柱２１が倒れたときと、同図において仮想線で示すように支柱２１が立ち上がったときとにおいては、横桁１４と縦桁１３との双方がその動きに連動することになる。なお、図１０は各縦桁１４の一端部のみを図示しているが、その他端部も同様の構成となっている。
【００３１】
かご部１０は、図１０において実線で示す伏せた状態とすることで、その体積を低減させてコンパクトにすることができる。このコンパクトな状態で保管したり運搬したりすると、嵩張らずに好都合である。図１１は、伏せた状態で底部１１を上にして保管している様子を示す。
【００３２】
木工沈床の施工現場の陸部では、このような伏せたコンパクトな状態で運ばれてきたかご部１０を箱形に組み立てる必要がある。以下、図１２を参照して、その手順を説明する。
【００３３】
図１２（ａ）は、運ばれてきたままの伏せた状態を示す。次に、同図（ｂ）に示すように支柱２１を底部横桁１５との連結のためのボルト３０のまわりで立ち上がり方向に揺動させる。すると、この支柱２１の動きにともなって、すべての横桁１４が起き上がるとともに、支柱２１や横桁１４に固定されたすべての縦桁１３も同様に起き上がる。図１２（ｃ）は、起き上がりすなわち立ち上がりが完了した状態を示す。しかし、この状態では、まだ縦桁１３と横桁１４とによる井桁構造は構築されていない。
【００３４】
そこで、図１２（ｃ）に示す状態において、横桁１４の長孔３２に打込んでおいた楔材３３を、この長孔３２から引き抜いて取り外す。次に、図１２（ｄ）に示すように各横桁１４をその長さ方向に移動させる。すると、横桁１４は、長孔３２にボルト３１が通っていることでこの長孔３２の長さの範囲を移動することになり、これによって図示のように縦桁１３の端部と横桁１４の端部とを互いに重ね合わせて井桁構造を作り上げることができる。最後に、長孔３２におけるこれまでとは反対側の位置に楔材３３を打込むことで、ボルト３１と横桁１４とが位置ずれを起こさないようにするとともに、これまでルーズであったボルト３１、３２をしっかりと締結することでかご部１０を所定の箱形構造に固定し保持する。これによってかご部１０の組み立てが完了するため、その後は、上述の場合と同様に石材２３の充填を行ったうえで吊り上げて搬送し、川床における所定の位置に木工沈床を敷設する。
【００３５】
図１３は、上記した一辺に開口部２５を形成したかご部１０Ａを、同様に伏せた状態と立ち上げた状態とに切り替え可能に構成したものを示す。基本的な構成は、前述の四辺に側枠部１２を有するかご部１０と同様である。
【００３６】
上述の伏せた状態と立ち上げた状態とに切り替え可能な構成は、上記した底部１１に樹脂ネット１７を用いたもののほかに、本発明にもとづき、従来と同様に底部１１を木製のすのこ状にしたものにも適用することができる。
【００３７】
図１４〜図１７は、このような構成の木工沈床を施工するためのかご部１０Ｂを示す。図１４はかご部１０Ｂの正面図、図１５はその側面図、図１６は図１４に示す部分の平面図、図１７は底部１１の平面図である。
【００３８】
このかご部１０Ｂにおいて、底部１１は、一対の底部横桁１５と、一対の縦部材３６と、多数の横部材３７とを備えている。底部横桁１５と縦横の部材３６、３７とは、ともに木材によって構成されている。詳細には、一対の縦部材３６は、底部横桁１５の両端部からそれぞれ桁の長さ方向に距離をおいた位置において、底部横桁１５の下部にボルト３８によって固定されている。つまり、底部横桁１５が一対の縦部材３６に乗った形で、両者が固定されている。多数の横部材３７は、一対の底部横桁１５どうしの間における一対の縦部材３６の上に乗せられた形で、互いに間隔をおいた状態で、ボルト３８によって縦部材３６に固定されている。前述のかご部１０と同様に、支柱２１は、その下端部がボルト３０によって底部横桁１５にルーズに連結されている。その他の構成も、かご部１０とほぼ同様である。
【００３９】
このような構成であると、かご部１０やかご部１０Ａと同様に、かご部１０Ｂの側枠部１２を、伏せた状態と立ち上げた状態とに切り替えることができ、保管や運搬の際に小さな空間しか必要としないという利点がある。
【００４０】
かご部１０Ｂは、底部１１が一対の底部横桁１５と一対の縦部材３５と多数の横部材３６とによってすのこ状に構成されているため、この底部１１を、上述の樹脂ネットを用いたものと同等に頑丈に構成することができる。このため、かご部１０Ｂと同様に一辺の側枠部１２を取り除いたものを作ることができるとともに、二辺を取り除いたものでさえ、強度的に支障なく作り上げることができる。
【００４１】
図１８（ａ）は、四辺とも側枠部１２を有するかご部１０Ｂの平面図を示し、同図（ｂ）および（ｃ）は一辺の側枠部１２を取り除いて開口部２５を形成したかご部１０Ｃ、１０Ｄの平面図を示し。同図（ｄ）は直角方向に隣り合う二辺の側枠部１２を取り除いて開口部２５を形成したかご部１０Ｅの平面図を示す。
【００４２】
図１９に示すように、これらのかご部１０Ｂ〜１０Ｅを用いることで、多数のかご部を縦横に並べて木工沈床を敷設した場合であっても、隣り合うかご部の側枠部１２どうしがまったく重なり合わないようにすることができる。
【図面の簡単な説明】
【００４３】
【図１】本発明の木工沈床の実施の形態におけるかご部の斜視図である。
【図２】図１のかご部の正面図である。
【図３】図２のかご部の側面図である。
【図４】図２のかご部の底面図である。
【図５】図１のかご部における底部の斜視図である。
【図６】図１のかご部に石材を充填したうえで吊り上げた状態を示す斜視図である。
【図７】本発明にもとづく他のかご部の斜視図である。
【図８】図１のかご部と図７のかご部とを組み合わせて敷設された木工沈床を示す図である。
【図９】図１のかご部と図７のかご部とを組み合わせて敷設された他の木工沈床を示す図である。
【図１０】図１〜図４のかご部の側枠部を伏せた状態と立ち上げた状態とに切り替えることを説明する図である。
【図１１】図１０のかご部を伏せた状態で上下を反転して保管する様子を示す図である。
【図１２】図１０のかご部を伏せた状態から立ち上がらせる様子を示す図である。
【図１３】図７のかご部の側枠部を伏せた状態と立ち上げた状態とに切り替えることを説明する図である。
【図１４】底部を木製のすのこ状に構成したかご部の正面図である。
【図１５】図１４のかご部の側面図である。
【図１６】図１４のかご部の平面図である。
【図１７】図１４のかご部における底部の平面図である。
【図１８】図１４のかご部の各種変形例を示す平面図である。
【図１９】図１８の各かご部を組み合わせて敷設された木工沈床の例を示す図である。
【符号の説明】
【００４４】
１０    かご部
１１    底部
１２    側枠部
１３    縦桁
１４    横桁
１５    底部横桁
１７    樹脂ネット
２１    支柱
２５    開口部
【図１】
2007032173.tif 000003
【図２】
2007032173.tif 000004
【図３】
2007032173.tif 000005
【図４】
2007032173.tif 000006
【図５】
2007032173.tif 000007
【図６】
2007032173.tif 000008
【図７】
2007032173.tif 000009
【図８】
2007032173.tif 000010
【図９】
2007032173.tif 000011
【図１０】
2007032173.tif 000012
【図１１】
2007032173.tif 000013
【図１２】
2007032173.tif 000014
【図１３】
2007032173.tif 000015
【図１４】
2007032173.tif 000016
【図１５】
2007032173.tif 000017
【図１６】
2007032173.tif 000018
【図１７】
2007032173.tif 000019
【図１８】
2007032173.tif 000020
【図１９】
2007032173.tif 000021